【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
第１のデバイスで、ヌルデータパケット肯定応答（ＮＤＰ  ＡＣＫ）フレームまたはＮＤＰ修正ＡＣＫフレームを備える制御フレームを生成することと、前記ＮＤＰ  ＡＣＫフレームまたはＮＤＰ修正ＡＣＫフレームは持続時間表示フィールドを備え、ここにおいて、前記持続時間表示フィールドは、前記ＮＤＰ  ＡＣＫまたは前記ＮＤＰ修正ＡＣＫに関するシグナリング情報を提供し、ここにおいて、前記ＮＤＰ  ＡＣＫは中継フレームフィールドをさらに備え、ここにおいて、シグナリング情報を提供することは、いずれのデータフレームも送信しないように対象とする局（ＳＴＡ）に示すために、前記持続時間表示フィールドを１に等しく設定することと、前記中継フレームフィールドを１に等しく設定することと、持続時間フィールドを非ゼロ値に設定することとを備え、
第２のデバイスに前記制御フレームを送信することと
を備える、ワイヤレス通信の方法。
【請求項２】
前記ヌルデータパケット肯定応答（ＮＤＰ  ＡＣＫ）フレームまたはＮＤＰ修正ＡＣＫフレームは、ＮＤＰフレームタイプフィールドと、識別子フィールドと、持続時間フィールドと、追加のデータを記憶するためのフィールドとをさらに備える、請求項１に記載の方法。
【請求項３】
シグナリング情報を提供することは、アイドル期間を示すために、前記持続時間表示フィールドを１に等しく設定することを備える、請求項１に記載の方法。
【請求項４】
制御フレームを生成することは、１ＭＨｚ  ＮＤＰ  ＡＣＫフレームまたは１ＭＨｚ  ＮＤＰ修正ＡＣＫフレームを生成することを備える、請求項１に記載の方法。
【請求項５】
制御フレームを生成することは、２ＭＨｚ以上の帯域幅を有するＮＤＰ  ＡＣＫフレームまたは２ＭＨｚ以上の帯域幅を有するＮＤＰ修正ＡＣＫフレームを生成することを備える、請求項１に記載の方法。
【請求項６】
前記持続時間表示フィールドは、ネットワーク割振りベクトル（ＮＡＶ）が存在するかどうかを示す、請求項１に記載の方法。
【請求項７】
前記持続時間フィールドは非ＮＡＶ値を示す、請求項６に記載の方法。
【請求項８】
ヌルデータパケット肯定応答（ＮＤＰ  ＡＣＫ）フレームまたはＮＤＰ修正ＡＣＫフレームを備える制御フレームを生成するように構成されたプロセッサと、前記ＮＤＰ  ＡＣＫフレームまたはＮＤＰ修正ＡＣＫフレームは持続時間表示フィールドを備え、ここにおいて、前記持続時間表示フィールドは、前記ＮＤＰ  ＡＣＫまたは前記ＮＤＰ修正ＡＣＫに関するシグナリング情報を提供し、ここにおいて、前記ＮＤＰ  ＡＣＫフレームが中継フレームフィールドをさらに備え、ここにおいて、シグナリング情報は、いずれのデータフレームも送信しないように対象とする局（ＳＴＡ）に示すために、前記持続時間表示フィールドが１に設定されていることと、前記中継フレームフィールドが１に設定されていることと、持続時間フィールドが非ゼロ値であることとを備え、
第２のデバイスに前記制御フレームを送信するように構成された送信機とを備える、ワイヤレスネットワークにおいて通信するためのデバイス。
【請求項９】
前記ヌルデータパケット肯定応答（ＮＤＰ  ＡＣＫ）フレームまたはＮＤＰ修正ＡＣＫフレームは、ＮＤＰフレームタイプフィールドと、識別子フィールドと、持続時間フィールドと、追加のデータを記憶するためのフィールドとをさらに備える、請求項８に記載のデバイス。
【請求項１０】
前記シグナリング情報は、アイドル期間を示すために１に設定された前記持続時間表示フィールドを備える、請求項８に記載のデバイス。
【請求項１１】
前記ＮＤＰ  ＡＣＫフレームおよびＮＤＰ修正ＡＣＫフレームが１ＭＨｚ帯域幅フレームを備える、請求項８に記載のデバイス。
【請求項１２】
前記ＮＤＰ  ＡＣＫフレームおよびＮＤＰ修正ＡＣＫフレームは、２ＭＨｚ以上の帯域幅フレームを備える、請求項８に記載のデバイス。
【請求項１３】
前記持続時間表示フィールドは、ネットワーク割振りベクトル（ＮＡＶ）が存在するかどうかを示す、請求項８に記載のデバイス。
【請求項１４】
前記持続時間フィールドは非ＮＡＶ値を示す、請求項１３に記載のデバイス。
【請求項１５】
コンピュータ上で実行されるとき、請求項１−７のうちのいずれか一項に従った方法を実行するための命令を備える、コンピュータプログラム。
【手続補正２】
【補正対象書類名】明細書
【補正対象項目名】０１５０
【補正方法】変更
【補正の内容】
【０１５０】
[00176]上記の説明は、本開示の態様を対象としたものであるが、本開示の基本的な範囲を逸脱することなく、本開示の他の態様およびさらに別の態様も考案され得、本開示の範囲は、以下の特許請求の範囲によって決定される。
以下に、本願出願の当初の特許請求の範囲に記載された発明を付記する。
［Ｃ１］
コンテンションフリー終了（ＣＦ−ｅｎｄ）フレームを備える制御フレームを生成することと、前記ＣＦ−ｅｎｄフレームは、タイプフィールドを有する物理層プリアンブルを備え、前記タイプフィールドは、前記ＣＦ−ｅｎｄフレームがヌルデータパケット（ＮＤＰ）であることを示すインジケータを含む、
前記制御フレームを送信することとを備える、ワイヤレス通信の方法。
［Ｃ２］
前記ＣＦ−ｅｎｄフレームは、ＮＤＰタイプを示すタイプフィールドと、ＣＦ−ｅｎｄサブタイプと送信可（ＣＴＳ）サブタイプとを区別するサブタイプフィールドとを備え得る、Ｃ１に記載の方法。
［Ｃ３］
前記ＣＦ−ｅｎｄフレームは持続時間フィールドを含む、Ｃ１に記載の方法。
［Ｃ４］
前記持続時間フィールドは、０、または、送信機会の終了を示すために、ワイヤレスデバイスのその直前に送信されたフレームから送られたネットワーク割振りベクトル（ＮＡＶ）の非ゼロ値に設定される、Ｃ３に記載の方法。
［Ｃ５］
ＣＦ−ｅｎｄを備える制御フレームを生成するように構成されたプロセッサと、前記ＣＦ−ｅｎｄフレームは、タイプフィールドを有する物理層プリアンブルを備え、前記タイプフィールドは、前記ＣＦ−ｅｎｄフレームがヌルデータパケット（ＮＤＰ）であることを示すインジケータを含む、
前記制御フレームを送信するように構成された送信機と
を備える、ワイヤレスネットワークにおいて通信するためのデバイス。
［Ｃ６］
前記ＣＦ−ｅｎｄフレームは、ＮＤＰタイプを示すタイプフィールドと、ＣＦ−ｅｎｄサブタイプとＣＴＳサブタイプとを区別するサブタイプフィールドとを備え得る、Ｃ５に記載のデバイス。
［Ｃ７］
前記ＣＦ−ｅｎｄフレームは持続時間フィールドを含む、Ｃ５に記載のデバイス。
［Ｃ８］
前記持続時間フィールドは、０、または、送信機会の終了を示すために、ワイヤレスデバイスのその直前に送信されたフレームから送られたネットワーク割振りベクトル（ＮＡＶ）の非ゼロ値に設定される、Ｃ７に記載のデバイス。
［Ｃ９］
ヌルデータパケット肯定応答（ＮＤＰ  ＡＣＫ）フレームまたはＮＤＰ修正ＡＣＫフレームを備える制御フレームを生成することと、前記ＮＤＰ  ＡＣＫフレームまたはＮＤＰ修正ＡＣＫフレームは持続時間表示フィールドを備え、ここにおいて、前記持続時間表示フィールドは、前記ＮＤＰ  ＡＣＫまたは前記ＮＤＰ修正ＡＣＫに関するシグナリング情報を提供する、
前記制御フレームを送信することと
を備える、ワイヤレス通信の方法。
［Ｃ１０］
前記ヌルデータパケット肯定応答（ＮＤＡ  ＡＣＫ）フレームまたはＮＤＰ修正ＡＣＫフレームは、ＮＤＰフレームタイプフィールドと、識別子フィールドと、持続時間フィールドと、追加のデータを記憶するためのフィールドとをさらに備える、Ｃ９に記載の方法。
［Ｃ１１］
シグナリング情報を提供することは、アイドル期間を示すために、前記持続時間表示フィールドを１に等しく設定することを備える、Ｃ９に記載の方法。
［Ｃ１２］
前記ＮＤＰ  ＡＣＫは中継フレームフィールドをさらに備え、ここにおいて、シグナリング情報を提供することは、前記持続時間表示フィールドを１に等しく設定することと、前記中継フレームフィールドを１に等しく設定することと、いずれのデータフレームも送信しないように対象とする局（ＳＴＡ）に示すために、前記持続時間フィールドを非ゼロ値に設定することとを備える、Ｃ９に記載の方法。
［Ｃ１３］
制御フレームを生成することは、１ＭＨｚ  ＮＤＰ  ＡＣＫフレームまたは１ＭＨｚ  ＮＤＰ修正ＡＣＫフレームを生成することを備える、Ｃ９に記載の方法。
［Ｃ１４］
制御フレームを生成することは、２ＭＨｚ以上の帯域幅を有するＮＤＰ  ＡＣＫフレームまたは２ＭＨｚ以上の帯域幅を有するＮＤＰ修正ＡＣＫフレームを生成することを備える、Ｃ９に記載の方法。
［Ｃ１５］
前記持続時間表示フィールドは、ネットワーク割振りベクトル（ＮＡＶ）が存在するかどうかを示す、Ｃ９に記載の方法。
［Ｃ１６］
前記持続時間フィールドは非ＮＡＶ値を示す、Ｃ１５に記載の方法。
［Ｃ１７］
前記持続時間フィールドはスリープ持続時間値を示す、Ｃ１６に記載の方法。
［Ｃ１８］
前記持続時間フィールドは識別（ＩＤ）拡張フィールドを含む、Ｃ１６に記載の方法。
［Ｃ１９］
ヌルデータパケット肯定応答（ＮＤＰ  ＡＣＫ）フレームまたはＮＤＰ修正ＡＣＫフレームを備える制御フレームを生成するように構成されたプロセッサと、前記ＮＤＰ  ＡＣＫフレームまたはＮＤＰ修正ＡＣＫフレームは持続時間表示フィールドを備え、ここにおいて、前記持続時間表示フィールドは、前記ＮＤＰ  ＡＣＫまたは前記ＮＤＰ修正ＡＣＫに関するシグナリング情報を提供する、
前記制御フレームを送信するように構成された送信機とを備える、ワイヤレスネットワークにおいて通信するためのデバイス。
［Ｃ２０］
前記ヌルデータパケット肯定応答（ＮＤＰ  ＡＣＫ）フレームまたはＮＤＰ修正ＡＣＫフレームは、ＮＤＰフレームタイプフィールドと、識別子フィールドと、持続時間フィールドと、追加のデータを記憶するためのフィールドとをさらに備える、Ｃ１９に記載のデバイス。
［Ｃ２１］
前記シグナリング情報は、アイドル期間を示すために１に設定された前記持続時間表示フィールドを備える、Ｃ１９に記載のデバイス。
［Ｃ２２］
前記ＮＤＰ  ＡＣＫフレームが中継フレームフィールドをさらに備え、ここにおいて、シグナリング情報は、前記持続時間表示フィールドが１に設定されていることと、前記中継フレームフィールドが１に設定されていることと、いずれのデータフレームも送信しないように対象とする局（ＳＴＡ）に示すために、前記持続時間フィールドが非ゼロ値であることとを備える、Ｃ１９に記載のデバイス。
［Ｃ２３］
前記ＮＤＰ  ＡＣＫフレームおよびＮＤＰ修正ＡＣＫフレームが１ＭＨｚ帯域幅フレームを備える、Ｃ１９に記載のデバイス。
［Ｃ２４］
前記ＮＤＰ  ＡＣＫフレームおよびＮＤＰ修正ＡＣＫフレームは、２ＭＨｚ以上の帯域幅フレームを備える、Ｃ１９に記載のデバイス。
［Ｃ２５］
前記持続時間表示フィールドは、ネットワーク割振りベクトル（ＮＡＶ）が存在するかどうかを示す、Ｃ１９に記載のデバイス。
［Ｃ２６］
前記持続時間フィールドは非ＮＡＶ値を示す、Ｃ２５に記載のデバイス。
［Ｃ２７］
前記持続時間フィールドはスリープ持続時間値を示す、Ｃ２６に記載のデバイス。
［Ｃ２８］
前記持続時間フィールドは識別（ＩＤ）拡張フィールドを含む、Ｃ２６に記載のデバイス。